(57)【要約】【課題】騒音下での明瞭な通話を実現しながら、使用環境や用途に応じて片耳、両耳両方の仕様を使い分けできるヘッドセットを提供する。【解決手段】ヘッドセット１は、受話音声を再生するイヤホン１５と口から出された音声を拾うマイクロホン１６を有するヘッドセット本体２と、イヤホン１５を装着する耳とは反対側の耳に装着し、その耳内に発生する音声を拾うイヤホン型マイクロホン３と、イヤホン型マイクロホン３をヘッドセット本体２と分離可能に接続するコネクタ４を備え、騒音下ではイヤホン型マイクロホン３をヘッドセット本体２に接続し、ヘッドセット本体２のイヤホン１５とイヤホン型マイクロホン３を使用する両耳仕様で使用し、自動車の運転中や静寂下ではイヤホン型マイクロホン３をヘッドセット本体２から分離し、ヘッドセット本体２のイヤホン１５とマイクロホン１６を使用する片耳仕様で使用する。【選択図】図１
2010273108.tif 000002
【特許請求の範囲】
【請求項１】
受話音声を再生するイヤホンと口から出された音声を拾うマイクロホンを有するヘッドセット本体と、前記イヤホンを装着する耳とは反対側の耳に装着し、その耳内に発生する音声を拾うイヤホン型マイクロホンと、このイヤホン型マイクロホンを前記ヘッドセット本体と分離可能に接続するコネクタとを備えることを特徴とするヘッドセット。
【請求項２】
前記ヘッドセット本体は、それと電話機との間を無線で接続するための近距離無線通信モジュールを有して、ワイヤレスヘッドセットを構成する請求項１に記載のヘッドセット。
【請求項３】
前記ヘッドセット本体と前記イヤホン型マイクロホンとの間を有線で接続する接続コードをイヤホン型マイクロホン側に設け、前記接続コードの末端に設けるプラグと前記ヘッドセット本体に設けるジャックにより前記コネクタを構成する請求項１に記載のヘッドセット。
【請求項４】
前記イヤホン型マイクロホンを前記ヘッドセット本体に接続したとき、ヘッドセット本体のマイクロホンからイヤホン型マイクロホンに切り換えて機能させる又はヘッドセット本体のマイクロホンとイヤホン型マイクロホン両方を機能させて両マイクロホンで拾う音声を重畳させたり、ヘッドセット本体のマイクロホンをノイズキャンセルや外部の音声を聞かせるための補聴や高域補正に用いる請求項１に記載のヘッドホン。
【請求項５】
前記イヤホン型マイクロホンに外部の音声を拾う他のマイクロホンを設け、前記イヤホン型マイクロホンを前記ヘッドセット本体に接続したとき、ヘッドセット本体のマイクロホンからイヤホン型マイクロホンに切り換えて機能させてイヤホン型マイクロホンの両マイクロホンで拾う音声を重畳させたり、外部の音声を拾う他のマイクロホンをノイズキャンセルや外部の音声を聞かせるための補聴や高域補正に用いる請求項１に記載のヘッドホン。
【発明の詳細な説明】
【技術分野】
【０００１】
本発明は、携帯電話・ＰＨＳやスマートホン等の電話機に接続してハンズフリーで通話を行うためのヘッドセットに関する。
【背景技術】
【０００２】
この種ヘッドセットとしては、受話音声を再生するイヤホンと口から出された音声を拾うマイクロホンを有するもの（例えば特許文献１参照）が一般的であるが、騒音下で使用すると、マイクロホンが使用者の口から出された音声と一緒に周囲の騒音を拾ってしまうため、使用者の声が相手側に聞き取り辛くなるという問題がある。
【０００３】
このような問題を解決すべく、使用者の口から出された音声を拾うマイクロホンに代えて、イヤホン型マイクロホンを設けることが提案されている（例えば特許文献２参照）。
【０００４】
イヤホン型マイクロホンは、イヤホンを装着する耳とは反対側の耳に装着し、使用者が声を出すときに、両方の耳内に発生する音声のうち、イヤホン型マイクロホンを装着した耳内に発生する音声を拾うため、周囲の騒音をほとんど拾わず、使用者の声が相手側に聞き取りやすくなり、騒音下での明瞭な通話を実現する。
【先行技術文献】
【特許文献】
【０００５】
【特許文献１】特開２００４−６４５３７号公報
【特許文献２】特開２００７−２２８３４４号公報
【発明の概要】
【発明が解決しようとする課題】
【０００６】
しかしながら、イヤホンとイヤホン型マイクロホンを一体化したものでは、両耳を塞ぐ両耳仕様に固定化されてしまい、自動車の運転中に利用できなくなったり、静寂下では使用者の口から出された音声を拾うマイクロホンを有するものに比べ送話音質が低下するという問題がある。
【０００７】
本発明の目的は、騒音下での明瞭な通話を実現しながら、使用環境や用途に応じて片耳、両耳両方の仕様を使い分けできるヘッドセットを提供することにある。
【課題を解決するための手段】
【０００８】
上記目的を達成するため本発明のヘッドセットは、受話音声を再生するイヤホンと口から出された音声を拾うマイクロホンを有するヘッドセット本体と、前記イヤホンを装着する耳とは反対側の耳に装着し、その耳内に発生する音声を拾うイヤホン型マイクロホンと、このイヤホン型マイクロホンを前記ヘッドセット本体と分離可能に接続するコネクタとを備えるものであり、イヤホン型マイクロホンをコネクタを介してヘッドセット本体に接続し、少なくともヘッドセット本体のイヤホンとイヤホン型マイクロホンを使用する両耳仕様で使用することにより、騒音下での明瞭な通話を実現し、イヤホン型マイクロホンをヘッドセット本体から分離し、ヘッドセット本体のイヤホンとマイクロホンを使用する片耳仕様で使用することにより、自動車の運転中での利用や静寂下での送話音質向上を実現するようにしたものである。
【０００９】
また、前記ヘッドセット本体は、それと電話機との間を無線で接続するための近距離無線通信モジュールを有して、ワイヤレスヘッドセットを構成する場合であっても、使用環境や用途に応じて片耳、両耳両方の仕様を使い分けできるようにしたものである。
【００１０】
さらに、前記ヘッドセット本体と前記イヤホン型マイクロホンとの間を有線で接続する場合は、その接続コードをイヤホン型マイクロホン側に設け、前記接続コードの末端に設けるプラグと前記ヘッドセット本体に設けるジャックにより前記コネクタを構成することにより、片耳仕様で使用するときにヘッドセット本体に接続コードを繋いだままでいなければならない等の煩雑さをなくすようにしたものである。
【００１１】
本発明のヘッドセットでは、前記イヤホン型マイクロホンを前記ヘッドセット本体に接続したとき、ヘッドセット本体のマイクロホンからイヤホン型マイクロホンに切り換えて機能させる又はヘッドセット本体のマイクロホンとイヤホン型マイクロホン両方を機能させて両マイクロホンで拾う音声を重畳させたり、ヘッドセット本体のマイクロホンをノイズキャンセルや外部の音声を聞かせるための補聴や高域補正に用いることが望ましい。その他、前記イヤホン型マイクロホンに外部の音声を拾う他のマイクロホンを設け、前記イヤホン型マイクロホンを前記ヘッドセット本体に接続したとき、ヘッドセット本体のマイクロホンからイヤホン型マイクロホンに切り換えて機能させてイヤホン型マイクロホンの両マイクロホンで拾う音声を重畳させたり、外部の音声を拾う他のマイクロホンをノイズキャンセルや外部の音声を聞かせるための補聴や高域補正に用いることが望ましい。
【発明の効果】
【００１２】
本発明によれば、騒音下での明瞭な通話を実現しながら、使用環境や用途に応じて片耳、両耳両方の仕様を使い分けできるヘッドセットを提供することが可能となる。
【図面の簡単な説明】
【００１３】
【図１】本発明の実施の形態に係るヘッドセットの斜視図である。
【図２】図１に示すヘッドセット本体の断面図である。
【図３】図１に示すイヤホン型マイクロホンの断面図である。
【発明を実施するための形態】
【００１４】
以下、本発明の実施の形態を図面に基づいて詳述する。
【００１５】
図１に示すヘッドセット１は、図示しない携帯電話・ＰＨＳやスマートホン等の電話機に接続し、ハンズフリーで通話を行うためのものであり、一方の耳に装着するヘッドセット本体２と、他方の耳に装着するイヤホン型マイクロホン３と、これらヘッドセット本体２とイヤホン型マイクロホン３を分離可能に接続するコネクタ４とを備えている。
【００１６】
図２に示すように、ヘッドセット本体２は、略矩形状の底板の周側縁から周側壁を立ち上げてなる樹脂製のハウジング本体５と、このハウジング本体５の開口面を塞ぐ樹脂製のカバー６とでヘッドセット本体２のハウジング７を構成し、このハウジング７に、ハウジング本体５と一体に形成して、ハウジング本体５の一端側底面から外向きに突出させ、根元側に大径部８、先端側に小径部９を有し、その小径部９の内孔を放音孔１０とする段付き円筒形状のイヤホンハウジング１１と、ハウジング本体５の他端側周側面の一部を開口する収音孔１２を設け、イヤホンハウジング１１の大径部８内にダイナミック型のスピーカ１３を組み込むと共に、小径部９にイヤホン装着時にフィット感や耳内から外部への音漏れ及び外部から耳内への雑音の侵入を防止する遮音性を得るための弾性材料（例えばシリコンラバー）からなるイヤーピース（耳栓）１４を外嵌して、一方の耳の孔（外耳道）に深く差し込んで使用するカナル型のイヤホン１５を構成し、ハウジング７の収音孔１２の内側にコンデンサ型のマイクロホン１６を設置している。
【００１７】
こうして、ヘッドセット本体２は、受話音声を再生するイヤホン１５と口から出された音声を拾うマイクロホン１６を有し、イヤホン１５を一方の耳の孔に差し込むことにより、収音孔１２を口元に向けた状態で一方の耳に装着できるようになっている。ここで、イヤホン１５を一方の耳の孔に差し込むだけでも、ヘッドセット本体２の脱落を確実に防止できると共に、高い装着安定性を得られるが、ハウジング７に着脱可能な図示しない耳掛けフックを設け、この耳掛けフックを用いてヘッドセット本体２を一方の耳に掛け止めることにより、ヘッドセット本体２の脱落をより確実に防止すると共に、装着安定性をさらに高めるようにしてもよい。イヤホン１５はカナル型に限らずインナーイヤー型であってもよい。マイクロホン１６はコンデンサ型以外（例えばダイナミック型、圧電型等）のものであってもよい。
【００１８】
また、ヘッドセット本体２は、それと電話機との間を無線で接続するための近距離無線通信モジュール１７を有して、ワイヤレスヘッドセット１を構成するもので、この近距離無線通信モジュール１７は、Bluetooth（登録商標）による無線通信を行うモジュールからなり、ハウジング７に、図示しないアンテナや充電可能な二次電池と共に内蔵され、イヤホン１５のスピーカ１３、マイクロホン１６、アンテナや二次電池が電気的に接続されている。勿論、Bluetooth以外の無線通信（例えば赤外線通信）を用いるようにしてもよい。
【００１９】
ヘッドセット本体２は、図示しないが、電源スイッチ、フックスイッチ、音量調整スイッチ並びに仕様切り換えスイッチ等の操作スイッチと、電源状態や通信状態、仕様状態を表示するＬＥＤと、充電用コネクタ（例えばminiUSBコネクタソケット）を設けている。勿論、これらも近距離無線通信モジュール１７に電気的に接続されている。
【００２０】
図３に示すように、イヤホン型マイクロホン３は、一側に大径部１８を、他側に小径部１９を有し、内孔を収音孔２０とする段付き円筒形状で樹脂製のハウジング本体２１と、このハウジング本体２１の大径部１８側の開口端部に嵌着するドーム形状のカバー部２２とそのカバー部２２からハウジング本体２１の軸線と略垂直な方向に突出する筒状のコード挿通部２３を一体に形成し、ハウジング本体２１とでイヤホン型マイクロホン３のイヤホン型ハウジング２５を構成する樹脂製のハウジングカバー２４と、ハウジング本体２１の小径部１９に外嵌して、イヤホン型マイクロホン装着時にフィット感や耳内から外部への音漏れ及び外部から耳内への雑音の侵入を防止する遮音性を得るための弾性材料（例えばシリコンラバー）からなるイヤーピース（耳栓）２６と、ハウジング本体２１の大径部１８側の開口端部に嵌着して、イヤホン型ハウジング２５の収音孔２０の軸線方向奥側に組み込まれるコンデンサ型のマイクロホン２７とで、一方の耳の孔（外耳道）に深く差し込んで使用するカナル型のイヤホン形状に構成されている。
【００２１】
こうして、イヤホン型マイクロホン３は、イヤホン１５（ヘッドセット本体２）を装着する耳とは反対側の耳に差し込むことにより、収音孔１２を耳内に向けた状態でイヤホン１５を装着する耳とは反対側の耳に装着し保持でき、周囲の騒音、風切り音等の耳の外部の音を拾うことなく、耳内に発生する音声のみを拾うことができるようになっている。イヤホン型マイクロホン３のイヤホン形状はカナル型に限らずインナーイヤー型であってもよい。マイクロホン２７はコンデンサ型以外（例えばダイナミック型、圧電型等）のものであってもよい。
【００２２】
図１に示すように、ヘッドセット本体２とイヤホン型マイクロホン３との間は有線で接続するもので、その接続コード２８はイヤホン型マイクロホン側に設けており、イヤホン型ハウジング２５内に組み込まれたマイクロホン２７に一端を結線し、ハウジングカバー２４のコード挿通部２３を通してイヤホン型ハウジング２５の外部に引き出している。
【００２３】
また、接続コード２８の末端にはプラグ２９（例えばΦ３．５ｍｍのステレオミニプラグ）を設け、ヘッドセット本体２にはプラグ２９を挿入接続するジャック３０を設け、これらプラグ２９とジャック３０によりコネクタ４を構成している。ジャック３０は近距離無線通信モジュール１７に電気的に接続されており、イヤホン型マイクロホン３のマイクロホン２７は接続コード２８及びコネクタ４を通じて近距離無線通信モジュール１７に電気的に接続される。
【００２４】
上記のように構成したヘッドセット１の使用方法について説明する。
【００２５】
このヘッドセット１は、基本的に、ヘッドセット本体２のみを使用する片耳仕様で使用する。ヘッドセット１を片耳仕様で使用するときは、ヘッドセット本体２の図示しない電源スイッチをオン操作してヘッドセット本体２を待ち受け状態にする（このとき例えばヘッドセット本体２の図示しない電源状態表示用ＬＥＤを点灯させて電源オン状態を表示する）と共に、ヘッドセット本体２の図示しない仕様切り換えスイッチを片耳側に操作してヘッドセット本体２を片耳仕様にして（このとき例えばヘッドセット本体２の図示しない仕様状態表示用ＬＥＤは消灯状態で片耳仕様を表示する）、ヘッドセット本体２を例えば左耳に装着する。またそのヘッドセット本体２と予めペアリングされた例えば携帯電話のキー操作で、携帯電話を発信・着信可能な待ち受け状態にすると共に、Bluetooth機能を有効にする。
【００２６】
この状態で、携帯電話に着信があると、Bluetoothによる無線通信により、携帯電話から送信される着信信号をヘッドセット本体２の近距離無線通信モジュール１７で受信する（このとき例えばヘッドセット本体２の図示しない通信状態表示用ＬＥＤを点滅させて着信状態を表示する）。そして、ヘッドセット本体２においては、Ｄ／Ａ変換された着信信号が近距離無線通信モジュール１７からイヤホン１５のスピーカ１３に出力され、そのイヤホン１５のスピーカ１３で再生されるので、使用者はヘッドセット本体２を装着した左耳で着信音を聞くことになる。
【００２７】
この着信中に、例えばヘッドセット本体２の図示しないフックスイッチがオフ操作（オフフック）されると、Bluetoothによる無線通信により、ヘッドセット本体２の近距離無線通信モジュール１７から送信された応答信号が携帯電話で受信されるので、かかってきた電話を受けて、通話することができる（このとき例えばヘッドセット本体２の通信状態表示用ＬＥＤを点滅から点灯に切り換えて通話状態を表示する）。
【００２８】
そして、ヘッドセット１を片耳仕様で使用しているときは、Bluetoothによる無線通信により、携帯電話から送信される相手側の音声信号をヘッドセット本体２の近距離無線通信モジュール１７で受信すると、ヘッドセット本体２においては、Ｄ／Ａ変換された相手側の音声信号が近距離無線通信モジュール１７からイヤホン１５のスピーカ１３に出力され、そのイヤホン１５のスピーカ１３で再生されるので、使用者はヘッドセット本体２を装着した左耳で相手側の音声を聞くことができる。
【００２９】
また、使用者の口から出された音声は、ヘッドセット本体２の収音孔１２を通してマイクロホン１６で拾われ、そのマイクロホン１６で音声信号に変換されて近距離無線通信モジュール１７に出力され、Bluetoothによる無線通信により、ヘッドセット本体２の近距離無線通信モジュール１７から送信されたＡ／Ｄ変換された使用者の音声信号が携帯電話で受信されて相手側に届けられるので、使用者の音声を相手側が聞くことができる。
【００３０】
こうして、ヘッドセット１は、ヘッドセット本体２のイヤホン１５とマイクロホン１６を使用する片耳仕様で使用することにより、ハンズフリーでの通話を実現するが、騒音が激しい中や強風の中、ジョギング中等に使用するときは、ヘッドセット本体２のマイクロホン１６が使用者の口から出された音声と一緒に周囲の騒音や風きり音等を拾ってしまうため、使用者の声が相手側に聞き取り辛くなる。
【００３１】
このため、ヘッドセット１を騒音下等で使用するときは、ヘッドセット本体２とそれに付属のイヤホン型マイクロホン３を使用する両耳仕様で使用する。ヘッドセット１を両耳仕様で使用するときは、イヤホン型マイクロホン側に設けた接続コード２８の末端にあるプラグ２９をヘッドセット本体側に設けたジャック３０に挿入接続して、イヤホン型マイクロホン３をプラグ２９及びジャック３０（コネクタ４）と接続コード２８を用いて有線でヘッドセット本体２に接続し、ヘッドセット本体２の図示しない仕様切り換えスイッチを両耳側に操作してヘッドセット本体２を両耳仕様にして（このとき例えばヘッドセット本体２の図示しない仕様状態表示用ＬＥＤを点灯させて両耳仕様を表示する）、ヘッドセット本体２を例えば左耳に装着し、またイヤホン型マイクロホン３を右耳に装着する。ここで、ヘッドセット本体２のジャック３としてプラグ２９の挿抜により切り換わるスイッチを有するスイッチ付きジャックを用い、プラグ２９の挿抜により片耳／両耳仕様を自動的に切り換えるようにしてもよい。
【００３２】
そして、ヘッドセット１を両耳仕様で使用しているときは、ヘッドセット本体２のマイクロホン１６からイヤホン型マイクロホン３のマイクロホン２７に切り換えて機能させている。イヤホン型マイクロホン３は、周囲の騒音等をほとんど拾わず、使用者の口から声を出すときに両方の耳内に発生する音声うち、イヤホン型マイクロホン３を装着した耳（右耳）内に発生する音声のみを、そのイヤホン型マイクロホン３の収音孔２０を通してマイクロホン２７で拾い、そのマイクロホン２７で音声信号に変換して近距離無線通信モジュール１７に出力するため、使用者の音声に混じって周囲の騒音等を相手側に伝えることがなく、使用者の音声を相手側が聞き取りやすくなり、騒音下等での明瞭な通話を実現する。
【００３３】
こうして、ヘッドセット１は、イヤホン型マイクロホン３をコネクタ４と接続コード２８を用いて有線でヘッドセット本体２に接続し、少なくともヘッドセット本体２のイヤホン１５とイヤホン型マイクロホン３を使用する両耳仕様で使用することにより、騒音下での明瞭な通話を実現するが、このような両耳を塞ぐ両耳仕様のヘッドセット１を装着して自動車を運転することは禁じられている。また、耳内で発生する音声は、口から出された音声に比べて高域が減退し、音質が低下する傾向にあるため、使用環境によってはヘッドセット１を両耳仕様で使用すると片耳仕様で使用するときに比べて送話音質が低下する場合がある。
【００３４】
このため、ヘッドセット１を自動車の運転中に利用したり、静寂下で使用するときは、ヘッドセット本体２にコネクタ４と接続コード２８を用いて有線で接続しているイヤホン型マイクロホン３を接続コード２８ごとヘッドセット本体２から分離し、前述したように、ヘッドセット本体２のイヤホン１５とマイクロホン１６を使用する片耳仕様で使用することにより、ヘッドセット１の自動車の運転中での利用や静寂下での送話音質向上を実現する。
【００３５】
したがって、ヘッドセット１では、騒音下での明瞭な通話を実現しながら、使用環境や用途に応じて片耳、両耳両方の仕様を使い分けできる。また、ワイヤレスヘッドセット１であっても、使用環境や用途に応じて片耳、両耳両方の仕様を使い分けできる。さらに、ヘッドセット１を片耳仕様で使用するときに、ヘッドセット本体２に接続コードを繋いだままでいなければならない等の煩雑さをなくすことができる。
【００３６】
ヘッドセット１では、両耳仕様で使用するときに、ヘッドセット本体２のマイクロホン１６からイヤホン型マイクロホン３に切り換えて機能させたが、ヘッドセット本体２のマイクロホン１６も機能させ、両マイクロホン１６，２７で拾う音声を重畳させるようにしてもよい。この場合、使用者の音声に混じって周囲の騒音等を相手側に伝えるが、使用者の音声を強調して伝えることより、騒音下での明瞭な通話を実現する。またヘッドセット本体２のマイクロホン１６をノイズキャンセルや外部の音声を聞かせるための補聴、その他イヤホン型マイクロホン３の高域補正に用いてもよい。
【００３７】
また、ヘッドセット１を両耳仕様で使用するときに、ヘッドセット本体２のマイクロホン１６を機能させる代わりに、イヤホン型マイクロホン３に、耳内で発生する音声を拾うマイクロホン２７に加え、外部の音声を拾う図示しないコンデンサ型等の他のマイクロホンを設け、この他のマイクロホンも機能させ、両マイクロホンで拾う音声を重畳させるようにしてもよい。この場合も、使用者の音声に混じって周囲の騒音等を相手側に伝えるが、使用者の音声を強調して伝えることより、騒音下での明瞭な通話を実現する。また他のマイクロホンをノイズキャンセルや補聴、高域補正に用いてもよい。
【００３８】
以上、本実施の形態は本発明の好適な一実施の形態を説明したが、本発明はそれに限定されることなく、その要旨を逸脱しない範囲内で種々変形実施することができる。例えばヘッドセット本体と電話機との間を有線で接続する場合もある。
【符号の説明】
【００３９】
１  ヘッドセット
２  ヘッドセット本体
３  イヤホン型マイクロホン
４  コネクタ
１５  イヤホン
１６  マイクロホン
１７  近距離無線通信モジュール
２７  マイクロホン
２８  接続コード
２９  プラグ
３０  ジャック
【図１】
2010273108.tif 000003
【図２】
2010273108.tif 000004
【図３】
2010273108.tif 000005